(57)【要約】      （修正有）【課題】マッサージ範囲を拡大して、各種マッサージニーズを満たすことが可能な往復循環マッサージ機構を提供する。【解決手段】当該機構は、ベース１、機器ベース２、モータ３及びマッサージ機構を含む。モータは機器ベース又はベースに装着され、機器ベースには回転軸４が設置され、モータで駆動される。マッサージ機構は足裏マッサージローラ５１を含み、足裏マッサージローラと回転軸が連動する。ベースには、回転軸と垂直な方向にスライドレール１１が設けられる。機器ベースとスライドレールは案内及びスライドするよう連携する。ベースには、機器ベースをスライド駆動する駆動機構が設けられる。駆動機構は駆動軸６１とネジベース６２を含み、ネジベースはベース又は機器ベースに固設される。駆動軸は回転するよう機器ベース又はベースに設置され、ネジベースに螺合され、軸方向に移動して機器ベースをスライドさせる。駆動軸と回転軸は連動する。【選択図】図１
0003225754.tif 000002
【実用新案登録請求の範囲】
【請求項１】
ベース、機器ベース、モータ及びマッサージ機構を含み、前記モータは機器ベース又はベースに装着され、前記機器ベースには回転軸が回転するよう設置されており、モータは回転軸を回転駆動させ、前記マッサージ機構は足裏マッサージローラを含み、足裏マッサージローラと回転軸が連動するよう設置される往復循環マッサージ機構であって、
前記ベースには、回転軸の軸方向と垂直な方向にスライド溝又はスライドレールが設けられており、機器ベースとスライド溝又はスライドレールは案内及びスライドするよう連携し、ベースには、機器ベースをスライド駆動可能とする駆動機構が設けられており、駆動機構は駆動軸とネジベースを含み、ネジベースはベース又は機器ベースに固設され、前記駆動軸は回転するよう機器ベース又はベースに設置され、前記駆動軸は、ネジベースに螺合されるとともに、機器ベースをスライドさせるよう、駆動軸の軸方向に移動するよう連携し、駆動軸と回転軸は連動するよう設置されることを特徴とする往復循環マッサージ機構。
【請求項２】
前記モータは機器ベースに固設され、前記ネジベースはベースに固設され、前記駆動軸は回転するよう機器ベースに設置され、駆動軸の回転によって、機器ベースがスライド溝又はスライドレールに沿ってスライド可能となることを特徴とする請求項１に記載の往復循環マッサージ機構。
【請求項３】
前記駆動軸には双方向ネジが連動接続されており、双方向ネジはネジベースに挿設され、前記ネジベースにはプッシュ部材が設けられており、前記ネジベースにはプッシュ部材を載置するための装着空間が設けられており、前記プッシュ部材の端部は双方向ネジ上に当接し、プッシュ部材と双方向ネジが連携することで、機器ベースを往復移動させるよう駆動可能となることを特徴とする請求項１又は２に記載の往復循環マッサージ機構。
【請求項４】
前記モータの出力軸にはウォームが固定又は一体的に設けられ、前記回転軸におけるウォームに対応する箇所には、ウォームと噛合するウォームホイールが設けられており、前記駆動軸には第１ヘリカルギヤが固定又は一体的に設けられ、前記回転軸における第１ヘリカルギヤに対応する箇所には、第１ヘリカルギヤと噛合する第２ヘリカルギヤが固定又は一体的に設けられていることを特徴とする請求項１又は２に記載の往復循環マッサージ機構。
【請求項５】
前記マッサージ機構は、先端マッサージローラを更に含み、前記ベースには先端軸が回転するよう設けられており、先端軸は回転軸と平行であり、先端マッサージローラは、先端軸に覆設されるとともに、先端軸と連動するよう設置され、前記回転軸と先端軸は伝動軸を介して伝動し、伝動軸は回転するよう機器ベースに設けられ、伝動軸は回転軸と垂直に設けられ、回転軸には第３ヘリカルギヤが連動接続され、伝動軸における第３ヘリカルギヤに対応する箇所には、第３ヘリカルギヤと噛合する第４ヘリカルギヤが設けられており、前記先端軸には第５ヘリカルギヤが連動するよう設置され、伝動軸における第５ヘリカルギヤに対応する箇所には、第５ヘリカルギヤと噛合する第６ヘリカルギヤが設けられており、前記ベースには第６ヘリカルギヤを回転させる回転ベースが設けられており、第６ヘリカルギヤと伝動軸は、周方向に連動し且つ軸方向にスライドするよう連携することを特徴とする請求項１又は２に記載の往復循環マッサージ機構。
【請求項６】
前記ベースには案内ベースが固定又は一体的に設けられており、案内ベースには第１案内溝が開設されており、第１案内溝はスライドレールと平行であり、回転軸は第１案内溝に挿設され、回転軸と第１案内溝はスライドするよう連携することを特徴とする請求項１又は２に記載の往復循環マッサージ機構。
【請求項７】
前記マッサージ機構は踵マッサージロッドを含み、前記踵マッサージロッドには踵マッサージヘッドが設けられており、前記足裏マッサージローラは、回転軸に覆設されるとともに、案内ベースと機器ベースの間に位置しており、足裏マッサージローラ又は回転軸には偏心輪が固定又は一体的に設けられており、踵マッサージロッドは回転軸に対し垂直であり、踵マッサージロッドのうち踵マッサージヘッド寄りの一端はベースにヒンジ接続され、他端は偏心輪に覆設されることを特徴とする請求項１又は２に記載の往復循環マッサージ機構。
【請求項８】
前記ベースには、踵マッサージロッドをヒンジ接続するためのヒンジ接続ベースが設けられており、ヒンジ接続ベースにはヒンジ軸が設けられ、踵マッサージロッドのうちヒンジ軸に対応する箇所には第２案内溝が設けられており、ヒンジ軸は、第２案内溝に挿設されるとともに、第２案内溝に沿ってスライド可能であることを特徴とする請求項７に記載の往復循環マッサージ機構。
【考案の詳細な説明】
【技術分野】
【０００１】
本考案は、マッサージ機器の技術分野に関し、特に、往復循環マッサージ機構に関する。
【背景技術】
【０００２】
現在市販されている足裏マッサージ器は、ベース、機器ベース、モータ及びマッサージ装置を含む。機器ベースは機器ベースに固設され、モータは機器ベースに装着される。機器ベースには回転軸が回転するよう設置されており、モータは回転軸を回転駆動させる。また、マッサージ装置は足裏マッサージローラを含む。足裏マッサージローラは回転軸に連動するよう設置され、モータによって足裏マッサージローラが足裏をマッサージするよう駆動する。しかし、モータが機器ベースに固設されることから、足裏マッサージ器によるマッサージ範囲には限界があり、マッサージ範囲を調節することができない。そのため、各種マッサージニーズを満たすことが不可能となっている。
【考案の概要】
【考案が解決しようとする課題】
【０００３】
本考案は、従来技術の瑕疵を解消し、マッサージ範囲を拡大して各種マッサージニーズを満たすことが可能な往復循環マッサージ機構を提供する。
【課題を解決するための手段】
【０００４】
上記の目的を実現するために、本考案は以下の技術方案を用いる。
【０００５】
往復循環マッサージ機構であって、ベース、機器ベース、モータ及びマッサージ機構を含む。前記モータは機器ベース又はベースに装着され、前記機器ベースには回転軸が回転するよう設置されている。モータは回転軸を回転駆動させる。前記マッサージ機構は足裏マッサージローラを含み、足裏マッサージローラと回転軸が連動するよう設置される。前記ベースには、回転軸の軸方向と垂直な方向にスライド溝又はスライドレールが設けられている。機器ベースとスライド溝又はスライドレールは案内及びスライドするよう連携する。ベースには、機器ベースをスライド駆動可能とする駆動機構が設けられている。駆動機構は駆動軸とネジベースを含み、ネジベースはベース又は機器ベースに固設され、前記駆動軸は回転するよう機器ベース又はベースに設置される。前記駆動軸は、ネジベースに螺合されるとともに、機器ベースをスライドさせるよう、駆動軸の軸方向に移動するよう連携する。駆動軸と回転軸は連動するよう設置される。
【０００６】
上記の方案によれば、機器ベースとベースがスライド溝及びスライドレールを介してスライドするよう連携するため、伝動がより安定的となる。また、回転軸が足裏マッサージローラを回転可能とすることで、足裏マッサージローラによって足裏をマッサージ可能となる。モータは回転軸を直接的又は間接的に回転駆動可能であり、回転軸が回転することで駆動軸が回転する。また、ネジベースがベースに固設され、駆動軸が回転するよう機器ベースに設置されるが、言うまでもなく、ネジベースが機器ベースに固設され、駆動軸が回転するようベースに設置されてもよい。駆動軸とネジベースは螺合しているため、駆動軸の回転時には、駆動軸のみが移動可能となるか、ネジベースを伴って移動する。機器ベースは、駆動軸又はネジベースの駆動に伴ってスライド溝に沿って移動する。このように、駆動軸とネジベースが連携することで機器ベースはスライド溝に沿って往復移動する。これにより、足裏マッサージローラは回転しながらスライド溝の長さ方向にも移動可能となるため、マッサージ範囲が拡大して、各種マッサージニーズが満たされる。
【０００７】
本考案では、更に、前記モータは機器ベースに固設され、前記ネジベースはベースに固設され、前記駆動軸は回転するよう機器ベースに設置される。駆動軸の回転によって、機器ベースがスライド溝又はスライドレールに沿ってスライド可能となる。
【０００８】
上記の方案によれば、回転軸による駆動軸の回転がより容易となり、不要な伝動構造が省略される。また、モータが機器ベースに設けられるため、構造全体がより合理的となる。
【０００９】
本考案では、更に、前記駆動軸に双方向ネジが連動接続されており、双方向ネジがネジベースに挿設される。前記ネジベースにはプッシュ部材が設けられており、前記ネジベースにはプッシュ部材を載置するための装着空間が設けられている。前記プッシュ部材の端部は双方向ネジに当接する。プッシュ部材と双方向ネジが連携することで、機器ベースを往復移動させるよう駆動可能となる。
【００１０】
上記の方案によれば、双方向ネジを駆動軸に固定又は一体的に設け、双方向ネジをネジベースに挿設することで、一定の案内作用を奏している。また、ネジベースには、双方向ネジの上方に装着空間が設けられ、プッシュ部材が装着空間に設置される。プッシュ部材の一端は双方向ネジに当接し、他端は押圧プレートにより当止される。また、押圧プレートはネジベースに固定接続される。駆動軸が回転すると、双方向ネジとプッシュ部材が連携することで、駆動軸が軸方向において直線移動を繰り返し、機器ベース及びその上方の足裏マッサージローラが駆動軸の軸方向において直線移動を繰り返す。本構造はシンプルであり、伝動が安定的となる。
【００１１】
本考案では、更に、前記モータの出力軸にウォームが固定又は一体的に設けられ、前記回転軸におけるウォームに対応する箇所には、ウォームと噛合するウォームホイールが設けられている。また、前記駆動軸には第１ヘリカルギヤが固定又は一体的に設けられ、前記回転軸における第１ヘリカルギヤに対応する箇所には、第１ヘリカルギヤと噛合する第２ヘリカルギヤが固定又は一体的に設けられている。
【００１２】
上記の方案によれば、モータはウォームを回転させ、ウォームがウォームホイールを回転させる。すると、ウォームホイールは回転軸に固定接続されているため、回転軸も回転する。また、回転軸には第２ヘリカルギヤが固設されており、第２ヘリカルギヤが第１ヘリカルギヤと噛合しているため、駆動軸も回転する。本構造はシンプルであり、伝動が安定的となる。
【００１３】
本考案では、更に、前記マッサージ機構が先端マッサージローラを更に含む。前記ベースには先端軸が回転するよう設けられている。先端軸は回転軸と平行である。先端マッサージローラは、先端軸に覆設されるとともに、先端軸と連動するよう設置される。前記回転軸と先端軸は伝動軸を介して伝動し、伝動軸は回転するよう機器ベースに設けられる。伝動軸は回転軸と垂直に設けられる。回転軸には第３ヘリカルギヤが連動接続され、伝動軸における第３ヘリカルギヤに対応する箇所には、第３ヘリカルギヤと噛合する第４ヘリカルギヤが設けられている。前記先端軸には第５ヘリカルギヤが連動するよう設置され、伝動軸における第５ヘリカルギヤに対応する箇所には、第５ヘリカルギヤと噛合する第６ヘリカルギヤが設けられている。前記ベースには第６ヘリカルギヤを回転させる回転ベースが設けられている。第６ヘリカルギヤと伝動軸は、周方向に連動し且つ軸方向にスライドするよう連携する。
【００１４】
上記の方案によれば、回転軸に第３ヘリカルギヤが固定又は一体的に設けられる。回転軸が、第３ヘリカルギヤと第４ヘリカルギヤの連携によって伝動軸を回転させ、伝動軸が、第５ヘリカルギヤと第６ヘリカルギヤの連携によって先端軸を回転させると、先端軸が先端マッサージローラを回転させて足先をマッサージする。また、伝動軸と第６ヘリカルギヤは、案内ブロック及び案内溝構造によって、周方向に連動し且つ軸方向にスライドするような連携を実現するが、言うまでもなく、キー及びキー溝構造によって、これらが周方向に連動し且つ軸方向にスライドするような連携を実現してもよい。伝動軸は、機器ベースとともに移動する際に第６ヘリカルギヤの正常な回転に支障をきたさない。また、回転ベースは第６ヘリカルギヤを回転させるとともに、一定の位置規制作用を奏する。本構造はシンプルであり、伝動が安定的である。
【００１５】
本考案では、更に、前記ベースに案内ベースが固定又は一体的に設けられており、案内ベースに第１案内溝が開設されている。第１案内溝はスライドレールと平行であり、回転軸は第１案内溝に挿設される。回転軸と第１案内溝はスライドするよう連携する。
【００１６】
上記の方案によれば、回転軸は回転しながら第１案内溝に沿ってスライドすることも可能なため、回転軸の運動がより安定的となる。
【００１７】
本考案では、更に、前記マッサージ機構が踵マッサージロッドを含み、前記踵マッサージロッドに踵マッサージヘッドが設けられている。前記足裏マッサージローラは、回転軸に覆設されるとともに、案内ベースと機器ベースの間に位置している。足裏マッサージローラ又は回転軸には偏心輪が固定又は一体的に設けられている。踵マッサージロッドは回転軸に対し垂直である。踵マッサージロッドのうち踵マッサージヘッド寄りの一端はベースにヒンジ接続され、他端は偏心輪に覆設される。
【００１８】
上記の方案によれば、踵マッサージロッドのうち踵マッサージヘッド寄りの一端がベースにヒンジ接続されるよう設けられる。また、偏心輪の回転によって高度差が形成されるため、回転軸によって踵マッサージロッドが揺動する。これにより、踵を踵マッサージヘッドに配置すると、踵マッサージヘッドが踵を叩く動作を行う。本構造はシンプルであり、伝動が安定的となる。
【００１９】
本考案では、更に、前記ベースに、踵マッサージロッドをヒンジ接続するためのヒンジ接続ベースが設けられており、ヒンジ接続ベースにヒンジ軸が設けられている。踵マッサージロッドのうちヒンジ軸に対応する箇所には第２案内溝が設けられている。ヒンジ軸は、第２案内溝に挿設されるとともに、第２案内溝に沿ってスライド可能である。
【００２０】
上記の方案によれば、踵マッサージロッドは揺動しながら第２案内溝方向にスライドすることも可能なため、踵に対するマッサージ効果がより良好となる。また、機器ベースの移動時に、ヒンジ接続ベースに対する踵マッサージロッドのヒンジ接続が影響を受けることがない。本構造はシンプルである。
【００２１】
以下に、図面を組み合わせて本考案につき更に説明する。
【図面の簡単な説明】
【００２２】
【図１】図１は、実施例１の全体構造を示す図である。
【図２】図２は、実施例１の駆動機構の構造を示す図である。
【図３】図３は、実施例１の回転軸とネジベースの連携構造を示す図である。
【図４】図４は、実施例１の先端マッサージローラと先端軸の連携構造を示す図である。
【図５】図５は、実施例１の伝動軸と第６ヘリカルギヤの連携構造を示す図である。
【図６】図６は、実施例１の踵マッサージロッドと足裏マッサージローラの連携構造を示す図である。
【図７】図７は、実施例１のベースの構造を示す図である。
【図８】図８は、実施例２の全体構造を示す図である。
【考案を実施するための形態】
【実施例１】
【００２３】
図１〜図７に示すように、往復循環マッサージ機構は、ベース１、機器ベース２、モータ３及びマッサージ機構を含む。モータ３は機器ベース２に固設される。機器ベース２には回転軸４が回転するよう設置されており、モータ３が回転軸４を回転駆動させる。回転軸４は駆動軸である。マッサージ機構は足裏マッサージローラ５１を含む。足裏マッサージローラ５１は回転軸４に覆設される。足裏マッサージローラ５１の両端にはピンスロットが設けられ、これに対応して回転軸４にピン孔を設けるとともに、ピンを設置することでこれらの連動接続を実現する。また、キー及びキー溝構造によってこれらの連動接続を実現してもよい。ベース１には、回転軸４の軸方向と垂直な方向にスライドレール１１が設けられている。なお、言うまでもなく、ベース１にスライド溝構造を設けてもよく、機器ベース２とスライドレール１１が案内及びスライドするような連携を実現できればよい。ベース１には、機器ベース２をスライド駆動可能とする駆動機構が設けられている。駆動機構は、駆動軸６１とネジベース６２を含む。ネジベース６２はベース１に固設され、駆動軸６１は回転するよう機器ベース２に設置される。駆動軸６１は、機器ベース２のスライド軌道に沿って設置される。駆動軸６１は、ネジベース６２に螺合されるとともに、機器ベース２をスライドさせるよう、駆動軸６１の軸方向に移動するよう連携する。駆動軸６１と回転軸４は連動するよう設置される。
【００２４】
本実施例において、駆動軸６１には、双方向ネジ６１１が固定又は一体的に設けられている。双方向ネジ６１１はネジベース６２に挿設される。ネジベース６２にはプッシュ部材６３が設けられている。また、ネジベース６２には、プッシュ部材６３を載置するための装着空間６２１が設けられている。プッシュ部材６３の端部は双方向ネジ６１１に当接する。ネジベース６２には、プッシュ部材６３が装着空間６２１から抜け落ちないよう規制する押圧プレート６４が設けられている。プッシュ部材６３と双方向ネジ６１１が連携することで、機器ベース２を往復移動させるよう駆動可能となる。
【００２５】
本実施例において、モータ３の出力軸にはウォーム７１が固定又は一体的に設けられ、回転軸４におけるウォーム７１に対応する箇所には、ウォーム７１と噛合するウォームホイール７２が設けられている。また、駆動軸６１には第１ヘリカルギヤ７３が固定又は一体的に設けられ、回転軸４における第１ヘリカルギヤ７３に対応する箇所には、第１ヘリカルギヤ７３と噛合する第２ヘリカルギヤ７４が固定又は一体的に設けられている。
【００２６】
本実施例において、マッサージ機構は、先端マッサージローラ５２を更に含む。ベース１には先端軸８１が回転するよう設けられている。先端軸８１は回転軸４と平行である。先端マッサージローラ５２は、先端軸８１に覆設されるとともに、先端軸８１と連動するよう設置される。回転軸４と先端軸８１は伝動軸８２を介して伝動する。伝動軸８２は回転するよう機器ベース２に設けられる。また、伝動軸８２は回転軸４と垂直に設けられる。回転軸４には第３ヘリカルギヤ８３が連動接続され、伝動軸８２における第３ヘリカルギヤ８３に対応する箇所には、第３ヘリカルギヤと噛合する第４ヘリカルギヤ８４が設けられている。また、先端軸８１には第５ヘリカルギヤ８５が連動するよう設置され、伝動軸８２における第５ヘリカルギヤ８５に対応する箇所には、第５ヘリカルギヤ８５と噛合する第６ヘリカルギヤ８６が設けられている。ベース１には、第６ヘリカルギヤ８６を回転させる回転ベース８７が設けられている。第６ヘリカルギヤ８６と伝動軸８２は、案内ブロック及び案内溝構造によって、周方向に連動し且つ軸方向にスライドするよう連携するが、言うまでもなく、キー及びキー溝構造によって、これらが軸方向にスライドし且つ周方向に連動するような連携を実現してもよい。
【００２７】
本実施例において、ベース１には、案内ベース１２が固定又は一体的に設けられている。案内ベース１２には第１案内溝１２１が開設されている。第１案内溝１２１はスライドレール１１と平行である。回転軸４は第１案内溝１２１に挿設される。回転軸４における第１案内溝１２１に対応する箇所には軸受９が設けられており、軸受９と第１案内溝１２１がスライドするよう連携する。
【００２８】
本実施例において、マッサージ機構は踵マッサージロッド５３を含む。踵マッサージロッド５３には踵マッサージヘッド５３１が一体的に設けられている。足裏マッサージローラ５１は、回転軸４に覆設されるとともに、案内ベース１２と機器ベース２の間に位置している。足裏マッサージローラ５１の中央位置には、偏心輪５１１が固定又は一体的に設けられている。なお、言うまでもなく、偏心輪５１１を回転軸４に設置し、回転軸４が偏心輪５１１の中心からずれるよう設けてもよい。踵マッサージロッド５３は回転軸４に対し垂直である。踵マッサージロッド５３のうち踵マッサージヘッド寄りの一端はベース１にヒンジ接続されるよう設けられ、他端は偏心輪５１１の外周に覆設される。ベース１には、踵マッサージロッド５３をヒンジ接続するためのヒンジ接続ベース１３が設けられている。ヒンジ接続ベース１３にはヒンジ軸１３１が設けられ、踵マッサージロッド５３のうちヒンジ軸１３１に対応する箇所には第２案内溝５３２が設けられている。ヒンジ軸１３１は、第２案内溝５３２に挿設されるとともに、第２案内溝５３２に沿ってスライド可能である。
【実施例２】
【００２９】
図８に示すように、往復循環マッサージ機構は、ベース１’、機器ベース２’、モータ３’及びマッサージ機構を含む。モータ３’はベース１’に固設される。ベース１’には先端軸４’が回転するよう設置されており、モータ３’が先端軸４’を回転駆動させる。先端軸４’は駆動軸である。マッサージ機構は、足裏マッサージローラ５１’、先端マッサージローラ５２’及び踵マッサージロッド５３’を含む。先端マッサージローラ５２’は先端軸４’に覆設される。先端マッサージローラ５２’の両端にはピンスロットが設けられ、これに対応して先端軸４’にピン孔を設けるとともに、ピンを設置することでこれらの連動接続を実現する。また、キー及びキー溝構造によってこれらの連動接続を実現してもよい。機器ベース２’には、回転軸６１’が回転するよう設けられている。足裏マッサージローラ５１’は回転軸６１’に覆設される。ベース１’には、先端軸４’の軸方向と垂直な方向にスライドレール１１’が設けられている。なお、言うまでもなく、ベース１’にスライド溝構造を設けてもよく、機器ベース２’とスライドレール１１’が案内及びスライドするような連携を実現できればよい。ベース１’には、機器ベース２’をスライド駆動可能とする駆動機構が設けられている。駆動機構は、駆動軸７１’とネジベース７２’を含む。ネジベース７２’は機器ベース２’に固設され、駆動軸７１’は回転するようベース１’に設置される。駆動軸７１’は、機器ベース２’のスライド軌道に沿って設置される。駆動軸７１’と先端軸４’は、２つのヘリカルギヤ同士の噛合構造によって連動を実現するよう設置される。駆動軸７１’には、双方向ネジ７１１’が固定又は一体的に設けられている。双方向ネジ７１１’は、ネジベース７２’に挿設される。双方向ネジ７１１’はネジベース７２’に螺合される。駆動軸７１’の回転によって、機器ベース２’をスライドさせることができる。先端軸４’と回転軸６１’は伝動軸６２’を介して伝動する。伝動軸６２’は回転するようベース１’に設けられる。また、伝動軸６２’は先端軸４’と垂直に設けられる。伝動軸６２’と先端軸４’は、２つのヘリカルギヤ同士の噛合構造によって連動を実現するよう設置される。また、伝動軸６２’と回転軸６１’は、２つのヘリカルギヤ同士の噛合構造によって連動を実現するよう設置される。且つ、伝動軸６２’上のヘリカルギヤと伝動軸６２’は、軸方向にスライドし且つ周方向に連動するよう連携する。
【００３０】
以上の実施例は本考案における好ましい具体的実施例の一つにすぎない。当業者が本考案の技術方案の範囲内において行う通常の変形及び置き換えは、いずれも本考案による保護の範囲に含まれる。
【図１】
0003225754.tif 000003
【図２】
0003225754.tif 000004
【図３】
0003225754.tif 000005
【図４】
0003225754.tif 000006
【図５】
0003225754.tif 000007
【図６】
0003225754.tif 000008
【図７】
0003225754.tif 000009
【図８】
0003225754.tif 000010